(57)【要約】【課題】通気性が向上し、かつ、充分な強度を有する、縁ラインに段差を生じない、カップ部およびバック布を有する、身体に密着した衣料を提供することを目的とする。【解決手段】カップ部およびバック布を有する、身体に密着した衣料であって、前記バック布が、裁断されたままの状態で縁始末不要な裁断縁を形成しうる１枚の伸縮性経編地から形成され、前記バック布の縁の一部が、縁始末不要な裁断縁（Ａ）を有し、前記バック布のその他の縁の部分が、前記伸縮性経編地の裁断縁近傍を、折り返し、二重にして、形成された縁（Ｂ）を有する衣料。【選択図】  図２
2005320644.tif 000002
【特許請求の範囲】
【請求項１】
カップ部およびバック布を有する、身体に密着した衣料であって、
前記バック布が、裁断されたままの状態で縁始末不要な裁断縁を形成しうる１枚の伸縮性経編地から形成され、
前記バック布の縁の一部が、縁始末不要な裁断縁（Ａ）を有し、
前記バック布のその他の縁の部分が、前記伸縮性経編地の裁断縁近傍を、折り返し、二重にして、形成された縁（Ｂ）を有する衣料。
【請求項２】
前記バック布の縁（Ｂ）の部分が、前記バック布の上縁または前記バック布の下縁である請求項１に記載の衣料。
【請求項３】
前記衣料が、肩紐と、左右のバック布の連結部材とをさらに有し、
前記肩紐の一端が、前記バック布の上縁に接合され、
前記連結部材が、前記バック布の横末端に設けられており、
前記バック布の縁（Ｂ）の部分が、
前記バック布の下縁、
前記肩紐の一端と前記バック布の上縁との接合部（Ｘ）から、前記連結部材と前記バック布の上縁との接合部（Ｙ）までの部分の上縁、および
前記カップ部と前記バック布の接合部（Ｚ）から前記接合部（Ｘ）までの部分の上縁
からなる群から選択された１または２つの部分である請求項１に記載の衣料。
【請求項４】
前記接合部（Ｚ）から前記接合部（Ｘ）までの部分において、前記バック布の縦方向の幅が、少なくとも８ｃｍ以上である請求項３に記載の衣料。
【請求項５】
前記バック布の縁（Ｂ）の部分が、テープ材を挟み込んで形成されている請求項１〜４のいずれかに記載の衣料。
【請求項６】
前記経編地が、非弾性糸が１×１トリコット組織であり、弾性糸がハーフ組織であり、非弾性糸と弾性糸の両方が閉じ目である請求１〜５のいずれかに記載の衣料。
【請求項７】
前記経編地の編方向が、バック布の横方向である請求項１〜６のいずれかに記載の衣料。
【請求項８】
前記衣料が、ボーンをさらに有し、
前記ボーンが、前記バック布の縦方向に取り付けられている請求項１〜７のいずれかに記載の衣料。
【請求項９】
前記衣料が、ブラジャー、セパレートタイプの水着の上着またはレオタードのトップスである請求項１〜８のいずれかに記載の衣料。
【発明の詳細な説明】
【技術分野】
【０００１】
本発明は、カップ部およびバック布を有し、身体に密着する衣料に関するものである。
【背景技術】
【０００２】
従来、カップ部およびバック布を有し、身体に密着する衣料（例えば、ブラジャー）は、その縁始末を施すと、その部分が厚くなり、そのような衣料の上にタイトな外衣を着用した場合など、その衣料の縁ラインが段差を生じ、凹凸になって外衣に現れ、外観を損なったり、厚くなった縁始末部が着用感を損なう問題があった。
【０００３】
その問題を解決するため、近年、裁断されたままの状態で縁始末不要な縁を形成しうる伸縮性編地の複数枚が、積層された生地で、バック布を形成し、前記バック布の上下両縁部が、裁断されたままの状態つまり、縁始末不要な縁を有する衣料が開発されてきた（例えば、特許文献１）。
【特許文献１】特開２００３−１４７６１８号公報
【発明の開示】
【発明が解決しようとする課題】
【０００４】
前記のように、複数枚の積層生地でバック布を形成すると、前記衣料の通気性が低下するという問題があった。その問題を解決するため、バック布を、裁断されたままの状態で縁始末不要な縁を形成しうる伸縮性編地１枚で形成した衣料には、しかし、前記経編地の強度が不足し、バック布の上下間でしわが発生しやすいという問題があった。また、身体に着用すると、この衣料の縁部分が丸まりやすい、という問題もあった。
【０００５】
そこで、本発明は、通気性が向上し、かつ、充分な強度を有する、縁ラインに段差を生じない、カップ部およびバック布を有する、身体に密着した衣料を提供することを目的とする。
【課題を解決するための手段】
【０００６】
本発明は、カップ部およびバック布を有する、身体に密着した衣料であって、前記バック布が、裁断されたままの状態で縁始末不要な裁断縁を形成しうる１枚の伸縮性経編地から形成され、前記バック布の縁の一部が、縁始末不要な裁断縁（Ａ）を有し、前記バック布のその他の縁の部分が、前記伸縮性経編地の裁断縁近傍を、折り返し、二重にして、形成された縁（Ｂ）を有する衣料である。
【発明の効果】
【０００７】
本発明の衣料は、そのバック布の主要部分が、１枚の伸縮性経編地から形成されているので、通気性が向上する。また、裁断されたままの状態で縁始末不要な縁を形成しうる経編地の裁断縁近傍を、折り返し、二重にして、前記バック布の縁の一部を形成しているので、前記バック布は、充分な強度を有する。また、そのような、折り返して二重にした縁は、従来の厚いテープ材を肌側に縫着することにより縁始末した縁に比べて、前記衣料の縁ラインは段差が生じにくくなる。
【発明を実施するための最良の形態】
【０００８】
本発明の衣料において、前記バック布のその他の縁の部分（Ｂ）は、前記バック布の上縁または下縁であるのが好ましい。前記バック布の上下いずれかの縁であれば、前記バック布が充分な強度を有し、前記縁部分の丸まりを防止でき、かつ、身体表面に食い込みを防止できるからである。
【０００９】
本発明の衣料において、前記衣料は、肩紐と、左右のバック布の連結部材とをさらに有し、前記肩紐の一端が、前記バック布の上縁に接合され、前記連結部材が、前記バック布の横末端に設けられており、前記バック布の縁（Ｂ）の部分が、前記バック布の下縁、前記肩紐の一端と前記バック布の上縁との接合部（Ｘ）から、前記連結部材と前記バック布の上縁との接合部（Ｙ）までの部分の上縁、および前記カップ部と前記バック布の接合部（Ｚ）から前記接合部（Ｙ）までの部分の上縁からなる群から選択された１または２つの部分であるのが好ましい。このように、前記バック布の一部が、裁断されたままの状態で縁始末不要な縁を形成しうる経編地の裁断縁近傍を、折り返し、二重にされているので、前記バック布が充分な強度を有し、前記縁部分の丸まりを防止でき、かつ、身体表面に食い込みを防止できるからである。前記左右のバック布の連結部材とは、フックアンドアイと呼ばれ、左右のバック布を連結したり、連結を解除するためのものである。なお、前記肩紐の一端は、前記バック布の上縁の所定の箇所に接合される。その接合箇所は、前記衣料を身体に着用する際、肩紐が身体にフィットするような箇所が適宜選択される。
【００１０】
本発明の衣料において、前記接合部（Ｚ）から前記接合部（Ｘ）までの部分において、前記バック布の縦方向の幅は、少なくとも８ｃｍ以上であるのが好ましい。前記バック布の、縁始末不要な縁が、丸まるのを防止できるからである。
【００１１】
本発明の衣料において、前記バック布の縁（Ｂ）は、薄いテープ材を挟み込んで形成されているのが好ましい。前記バック布が充分な強度を有し、前記縁部分の丸まりを防止でき、かつ、強度を有するからである。
【００１２】
本発明の衣料において、前記経編地は、非弾性糸が１×１トリコット組織であり、弾性糸がハーフ組織であり、非弾性糸と弾性糸の両方が閉じ目であるのが好ましい。このような経編地であれば、良好に、裁断されたままの状態で縁始末不要な縁を形成しうるからである。このような経編地を、図１に示す。図１中、１は非弾性糸、２は弾性糸、３が、編地の編み方向を示す。
【００１３】
本発明の衣料において、前記経編地の編方向は、バック布の横方向であるのが好ましい。
【００１４】
本発明の衣料において、前記衣料が、ボーンをさらに有し、前記ボーンは、前記バック布の縦方向に取り付けられているのが好ましい。前記バック布の上下方向の形状を安定化することができるからである。
【００１５】
本発明の衣料において、前記衣料は、ブラジャー、セパレートタイプの水着の上着またはレオタードのトップスであるのが好ましい。
【００１６】
以下、図面を参照しながら、本発明の実施形態についてさらに説明する。
【００１７】
（実施形態１）
本実施形態では、本発明の衣料の好ましい形態について説明する。図２は、本発明の衣料の一例のブラジャーの正面側から見た斜視図である。図２中、１００はブラジャーを、１１はカップ部を、１２はバック布を、１３は肩紐を、１４は左右のバック布の連結部材を、１５は前記カップ部と前記バック布の接合部（Ｚ）から前記肩紐の一端と前記バック布の上縁との接合部（Ｘ）までの部分の上縁を、１６はバック布下縁を、１７および１８は縫合線を、１９は前記肩紐の一端と前記バック布の上縁との接合部（Ｘ）を、２０は肩紐を、２１は前記肩紐の一端と前記バック布の上縁との接合部（Ｘ）１９から、前記連結部材と前記バック布の上縁との接合部（Ｙ）２５までの部分を、２２はバック布の編地の編み方向、２３は前中心部を、２４はカップ部とバック布の接合部（Ｚ）、２５は左右のバック布の連結部材とバック布の縁との接合部（Ｙ）を示す。このブラジャーにおいては、縁始末不要な縁を、折り返し、二重にして、前記バック布下縁１６と、前記部分２１とを形成している。
【００１８】
まず、前記バック布１２について説明する。前記バック布を形成する伸縮性経編地は、裁断されたままの状態で縁始末が不要な縁を形成しうる１枚の伸縮性経編地であれば、限定されず、用いることができる。そのような伸縮性経編地としては、例えば、非弾性糸が１×１トリコット組織であり、弾性糸はルーピング組織の組み合わせが挙げられる。前記ルーピング組織としては、１×１トリコット組織、ハーフ組織、アトラス組織等が挙げられる。この場合、非弾性糸と弾性糸は、同行でも逆行でもよい。また、非弾性糸と弾性糸は、共に閉じ目でも、一方が閉じ目で他方が開き目でも、共に開き目でもよいが、中でも、共に閉じ目の場合と、一方が閉じ目で他方が開き目の場合が好ましく、共に閉じ目の場合がより好ましい。また、非弾性糸がハーフ組織であり、弾性糸が１×１トリコット組織またはハーフ組織であり、かつ非弾性糸と弾性糸の両方が逆行の組み合わせも、用いることができる。
【００１９】
前記バック布を形成する伸縮性経編地の具体例としては、（１）非弾性糸と弾性糸とを同行させ、弾性糸が１×１トリコット組織またはハーフ組織であり、非弾性糸が１×１トリコットであり、かつ非弾性糸と弾性糸の少なくとも一方が閉じ目により編成された伸縮性経編地（例えば、図１に示す経編地）、（２）非弾性糸と弾性糸とを逆行させ、弾性糸が１×１トリコット組織であり、非弾性糸が１×１トリコットであり、かつ非弾性糸と弾性糸の少なくとも一方が閉じ目により編成された伸縮性経編地、（３）非弾性糸と弾性糸とを同行または逆行させ、弾性糸がアトラス組織であり、非弾性糸が１×１トリコット組織であり、かつ非弾性糸と弾性糸の少なくとも一方が閉じ目により編成された伸縮性経編地、（４）非弾性糸と弾性糸とを逆行させ、弾性糸がハーフ組織であり、非弾性糸が１×１トリコット組織またはハーフ組織であり、かつ非弾性糸と弾性糸の少なくとも一方が閉じ目により編成された伸縮性経編地、（５）非弾性糸と弾性糸とを同行または逆行させ、弾性糸が１×１トリコット組織またはハーフ組織であり、非弾性糸が１×１トリコット組織であり、非弾性糸と弾性糸の両方が開き目により編成された伸縮性経編地、（６）非弾性糸と弾性糸とを逆行させ、弾性糸が１×１トリコット組織またはハーフ組織であり、非弾性糸がハーフ組織であり、非弾性糸と弾性糸の両方が開き目により編成された伸縮性経編地および（７）非弾性糸と弾性糸を逆行させ、弾性糸が１×１トリコット組織であり、非弾性糸がハーフ組織であり、非弾性糸と弾性糸の少なくとも一方が閉じ目により編成された伸縮性経編地が挙げられる。中でも、（１）および（２）の例が、裁断されたままの縁のほつれの防止が良好であり、好ましい。なお、前記以外の経編地であっても、裁断されたままの状態で縁始末不要な縁を形成しうる伸縮性経編地であれば、前記例に限定されず、用いることができる。
【００２０】
前記伸縮性経編地に用いる非弾性糸としては、例えば、ナイロンやポリエステルなどの合成繊維、レーヨンなどの半合成繊維のフィラメント糸を使用することができる。吸水性に富むナイロンはインナーウエア用編地の繊維として好適である。非弾性糸としては、細い方が編目を高密度にしやすい一方、細すぎると強度が弱くなってしまう。非弾性糸の繊度は、例えば３３〜２３１ｄｔｅｘ、好ましくは３３〜１５４ｄｔｅｘ、より好ましくは３３〜８９ｄｔｅｘ、さらに好ましくは３３〜７８ｄｔｅｘである。非弾性糸の繊度が３３〜２３１ｄｔｅｘであれば、編地を高密度にでき、かつ安定し強度のある編み組織とすることができるからである。非弾性糸の繊度は、３３〜７８ｄｔｅｘが編地を高密度にしやすく、かつ安定し強度のある編み組織とすることができるので、更に一層好ましい。
【００２１】
前記伸縮性経編地に使用する弾性糸としては、特に制限はないが、例えばポリウレタン弾性糸やその被覆弾性糸を使用することができる。前記弾性糸は、細い方が編地を高密度とできる。前記弾性糸の繊度が１５４ｄｔｅｘ以上となると、裁断したままで縁部始末不要な状態が実現でき、伸度が少なくなる。従って、身体に密着する衣料に使用するには弾性糸の繊度は１５ｄｔｅｘ以上１５４ｄｔｅｘ以下が好ましい。前記弾性糸の繊度は、より好ましくは、１５〜１００ｄｔｅｘ、更に好ましくは３３〜８８ｄｔｅｘである。一方、１５４ｄｔｅｘよりも太い弾性糸は、伸度を要求しない衣料部位に使用することができる。また、２３１ｄｔｅｘ以上３９６ｄｔｅｘ以下の繊度の弾性糸でも、比較的柔らかい弾性糸であれば、裁断しても裁断したままの縁部がほつれにくい状態を実現できる。このような繊度の弾性糸は、伸度は少ないが、伸度を要求しない部位には使用しうる。
【００２２】
前記伸縮性経編地は、編密度が高いほど好ましいが、例えば２．５４ｃｍ（１インチ）当たり例えば５５ウエールを超える高密度、好ましくは６０ウエールを超える高密度、より好ましくは６５ウエールを超える高密度、さらに好ましくは７０ウエール以上の高密度で編成される。このような高密度に編地を編成すれば、前記伸縮性経編地の横伸びの割合が大きくなり、編目の美しさを維持しつつ、前記伸縮性経編地の編目の安定性が向上するからである。
【００２３】
使用する編糸の繊度等にもよるが、具体的には、例えば総本数を３６００本として１３０インチのラッセル編機を使用する場合、前記伸縮性経編地の仕上巾を１００〜１４０ｃｍ（一般的な編地では仕上巾を１６０ｃｍ前後）、より具体的には、１１０ｃｍ、１２０ｃｍ、１３０ｃｍなどにし、可能な範囲で高密度に編成したものが、前記伸縮性経編地において編目の美しさを保持しつつ、その安定性を向上するために望ましい。
前記伸縮性経編地は、プレセットおよび／またはヒートセットを施しておくことが好ましい。このような処理により、編地の安定性、ほつれ防止などの効果を向上することが可能だからである。なお、このプレセットおよびヒートセットは、処理の装置の形状、プレセット処理時間、ヒートセット処理時間、前記伸縮性たて編地の種類、その厚さなどにもよるが、一定の温度より高い温度、例えば１８０℃より高い温度、好ましくは１８５℃より高い温度、より好ましくは１９０℃〜１９５℃の温度範囲で行うことができる。
【００２４】
前記伸縮性経編地においては、部分的に他の部分よりも繊度の大きな弾性糸を編糸に用い、あるいは本数を変える等により締付パワーを強化したい編地部分を一体に編成することができる。
【００２５】
前記伸縮性経編地は、前記の所要の編成条件にもとづき、ラッシェル編機、トリコット編機などのシングル機等を適宣に選択して公知の手段により容易に編成することができる。編成された編地は、付加価値を高めるため、たとえば染色加工、加熱エンボス加工やパンチング加工によって各種の模様を施すなど、必要により各種の後加工を施すことができる。
【００２６】
前記バック布の上縁は、直線状であっても、波形状であってもよい。前記裁断形状を複数の曲線のある波形状としてもよい。なお、「波形状」とは、規則的な単純な曲線の繰り返しからなるものに限られず、不規則な波形状であってもよい。裁断したままの縁部の形状を波形状にする場合には、各波形状の曲線の曲率をあまり小さくしない方が、引き裂き強度が低下せず、また、当該縁部のめくれなども生じにくくなり好ましい。
【００２７】
前記バック布は、主たる伸縮方向が、バック布の横方向であるのが好ましい。好ましい方向は、図２中、矢印２２で示される。
【００２８】
前記バック布１２は、前述のように、裁断されたままの状態で縁始末不要な縁を形成しうる経編地の裁断縁近傍を、折り返し、二重にして、前記バック布下縁１６を形成している。この折り返し幅は、特に限定されないが、例えば１ｃｍ程度である。このように折り返して、二重にしてあるので、前記バック布下縁１６は、裁断したままの状態の縁部に比べ、強度があるので、下縁を安定させることができ、好ましい。
【００２９】
前記バック布１２の形態は、限定されないが、例えば、上縁と下縁とが、ほぼ平衡の長方形状であってもよい。特に、カップ部と、バック布の接合部（Ｚ）２４から、前記肩紐の一端と前記バック布の上縁との接合部（Ｘ）１９までの部分において、前記バック布１２の縦方向の幅が、ブラジャーのサイズがＢ７５の場合、例えば７〜１２ｃｍ、好ましくは、少なくとも８ｃｍ以上、より好ましくは１０ｃｍである。
【００３０】
前記肩紐の一端と前記バック布の上縁との接合部（Ｘ）１９から、前記連結部材と前記バック布の上縁との接合部（Ｙ）２５までの部分２１は、前記接合部１９から、前記接合部２５にかけて、斜めに下がり、前記連結部材１４に向かって、バック布１２の縦方向の幅は、狭くなっているのが好ましい。前記連結部材１４の縦方向の幅は、例えば２〜５ｃｍであり、好ましくは３ｃｍである。
【００３１】
前記バック布１２は、前述のように、裁断されたままの状態で縁始末不要な縁を形成しうる経編地の裁断縁近傍を、折り返し、二重にして、前記部分２１とを形成している。この折り返し幅は、特に限定されないが、例えば１ｃｍ程度である。このように折り返して、二重にしてあるので、前記部分２１は、裁断したままの状態の縁部に比べ、強度があるので、縁を安定させることができ、好ましい。
【００３２】
このように、裁断されたままの状態で縁始末不要な縁を形成しうる経編地の裁断縁近傍を、折り返し、二重にしている部分の例を、図３に示す。（ａ）は、前記バック布６の折り返し部分の一例の断面図、（ｂ）はその斜視図である。
【００３３】
前記バック布６の裁断縁近傍を折り返し、縫合する。図中、５は、縫合線を示す。このように、２つ折りにされ、縫合されているが、前記バック布６の裁断縁７は、裁断されたままの状態で縁始末不要な縁を形成しうる伸縮性経編地であるので、さらに、裁断縁７の部分を厚いテープ材を肌側に縫合する等で縁部始末をする必要がない。従って、縁部に段差が生じず、好ましい。また、前記バック布６の縫合線５は、糸１本の本縫い等の厚みのでない縫い方であってもよい。
【００３４】
前記折り返し部分には、薄いテープ材４を挟み込んで形成してもよい（図３参照）。テープ材４を挟み込むと、その部分の強度が増し、安定感が向上するので好ましい。また、折り返して、二重になった部分にテープ材４が挟み込まれるため、直接テープ材が皮膚に触れず、肌触りも良いので、好ましい。尚、折り返し、二重にし、縫合するのみで、間にテープ材を使用しなくてもよい。
【００３５】
次に、前中心部２３について、説明する。この前中心部２３は、裁断されたままの状態で縁始末不要な縁を形成しうる伸縮性経編地、例えば、前記バック布１２と同様の生地から形成されることができる。また、この前中心部２３は、裁断されたままの状態で縁始末不要な縁を形成しうる伸縮性経編地、例えば、前記バック布１２と同様の生地の複数枚を積層し、一体として形成してもよい。具体的には二枚を積層すると良い。この積層方法としては、全面接着、部分接着等、どのような接着方法により積層されてもよい。中でも、積層方法としては、部分接着が好ましい。部分接着であれば、前記中心部２３が伸縮されたとき、皺が発生しにくいからである。
【００３６】
前記伸縮性経編地の積層手段としては、例えば、直接重ねた経編地を熱融着させる方法、貼り合せる経編地の間にウレタンフォームを挟んで融着させる融着法、アクリル系、ウレタン系、ボリエステル系あるいは溶融性パウダなどの接着剤を用いて接着する方法が挙げられる。接着剤を用いて接着する方法には、ドクター方式、ローラ方式、反転方式、スプレー方式などがあり、これらの手段を適宜に選択することができる。
【００３７】
前記伸縮性経編地は、貼り合わせる編地同士の編み方向を同一方向または逆方向にして貼り合わせても良いが、同じ方向にして貼り合せるのが好ましい。同じ方向にして貼り合せると、前記前中心部２３が伸縮されたとき、皺が発生しにくいからである。なお、前記経編地が、縦および横方向に伸縮し、その伸縮性が、縦および横方向で異なる場合は、伸縮性が大きい方向同士が揃うように、積層することが好ましい。
【００３８】
前記前中心部２３は、前記伸縮性経編地以外の布またはフィルムとを組み合わせて重ね、貼り合わせてもよい。前記布またはフィルムとしては、裁断されたままの状態で縁始末不要な縁を形成しうる伸縮性経編地でさえあれば、限定されず、例えば、他の経編地、よこ編地、ジャージ、織物、不織布などの布を用いることができる。なお、前記布またはフィルムの枚数は、限定されない。
【００３９】
前記前中心部２３は、前述のような、裁断されたままの状態で縁始末が不要な縁を形成しうる伸縮性経編地の複数枚を積層して、一体とした後に裁断等して成形してもよいし、同形状に予め裁断等しておいた、裁断されたままの状態で縁始末が不要な縁を形成しうる伸縮性経編地の複数枚を積層して、一体としてもよい。
【００４０】
前記前中心部２３の下縁は、裁断されたままの状態で、形成され、かつ下縁の形状が上方に凸に湾曲したカーブ状となっていてもよい。特に、前記前中心部２３を裁断されたままの状態で縁始末不要な縁を形成しうる伸縮性経編地の複数枚を積層し、一体として形成した場合、裁断されたままの状態で、縁始末が不要かつ、強度があるので、縁の丸まりや身体への食い込みが防止でき、好ましい。
【００４１】
なお、本実施形態では、縁始末不要な裁断縁近傍を、折り返し、二重にして形成した縁（Ｂ）が、前記バック布下縁１６と、前記部分２１とである例を示したが、前記縁（Ｂ）は、前記バック布の下縁１６、前記接合部（Ｚ）から前記接合部（Ｘ）までの部分の上縁１５、および前記カップ部と前記バック布の接合部（Ｘ）から前記接合部（Ｙ）までの部分の上縁２１からなる群の、１または２つの部分を形成していてもよい。前記バック布のその他の縁の部分は、縁始末不要な裁断縁（Ａ）を有する。
【００４２】
具体的には、前記部分２１のみが前記縁（Ｂ）からなる衣料（図４参照）、前記接合部（Ｚ）から前記接合部（Ｘ）までの部分の上縁１５および前記部分２１が前記縁（Ｂ）からなる衣料（図５参照）、前記部分２１のみが前記縁（Ｂ）からなるが、バック布の縦幅よりも小さい、別の伸縮性を有する素材２７を重ねて、さらに含む衣料（図６参照）が挙げられる。なお、他の縁は前記縁（Ａ）からなる。
【００４３】
すなわち、前記部分２１のみが前記縁（Ｂ）からなる衣料（図４参照）においては、前記バック布下縁１６と、前記接合部（Ｚ）から前記接合部（Ｘ）までの部分の上縁１５は、裁断されたままの状態（縁（Ａ））で形成されている。
【００４４】
前記接合部（Ｚ）から前記接合部（Ｘ）までの部分の上縁１５および前記部分２１が、前記縁（Ｂ）からなる衣料（図５参照）においては、前記バック布下縁１６は、裁断されたままの状態（縁（Ａ））で形成されている。図５中、２６は縫合線である。
【００４５】
前記部分２１のみが前記縁（Ｂ）からなるが、バック布の縦幅よりも細い幅の、別の伸縮性を有する素材２７を重ねて、さらに含む衣料（図６参照）においては、前記バック布下縁１６と、前記接合部（Ｚ）から前記接合部（Ｘ）までの部分の上縁１５は、裁断されたままの状態（裁断縁（Ａ））で形成されている。前記素材２７は、伸縮性を有するものであれば、限定されず、例えば、レースなど、装飾性のある素材であってもよい。前記素材２７は、前記バック布１２に、重ねて、縫着または樹脂接着して、固定させることができる。前記素材２７を前記バック布１２に重ねる際、前記素材２７の縁が、前記バック布１２の縁と重ならないように２７の上下縁が、バック布１２の上下幅内に収まるようにするのが、好ましい。前記バック布１２の、縁が厚くなるのを避けることができるからである。このように、前記素材２７を前記バック布１２に重ねると、その部分に強度や装飾性をもたらすことができ、好ましい。
【００４６】
（実施形態２）
本実施形態では、本発明の衣料の別の好ましい形態について説明する。図７は、本発明の衣料の一例のブラジャーの正面側から見た斜視図である。図７中、１０１はブラジャーを、３１はカップ部を、３２はバック布を、３３は肩紐を、３４は左右のバック布の連結部材を、３５は前記カップ部と前記バック布の接合部（Ｚ）から前記肩紐の一端と前記バック布の上縁との接合部（Ｘ）までの部分の上縁を、３６はバック布下縁を、３７および３８は縫合線を、３９は前記肩紐の一端と前記バック布の上縁との接合部（Ｘ）を、４０は肩紐を、４１は前記肩紐の一端と前記バック布の上縁との接合部（Ｘ）３９から、前記連結部材と前記バック布の上縁との接合部（Ｙ）４５までの部分を、４２はバック布の編地の編み方向、４３は前中心部を、４４はカップ部とバック布の接合部（Ｚ）、４５は左右のバック布の連結部材とバック布の縁との接合部（Ｙ）を示す。このブラジャーにおいては、前記バック布下縁３６と、前記部分４１とが、前記縁（Ｂ）を形成している。なお、前記バック布のほかの部分の端は、端始末不要な裁断縁（Ａ）を有する。
【００４７】
前記バック布３２および前記前中心部４３の素材等については、実施形態１において記述したとおりである。
【００４８】
（実施形態３）
本実施形態では、本発明の衣料の別の好ましい形態について説明する。図８は、本発明の衣料の一例のブラジャーの正面側から見た斜視図である。図８中、１０２はブラジャーを、５１はカップ部を、５２はバック布を、５３は肩紐を、５４は左右のバック布の連結部材を、５５は前記カップ部と前記バック布の接合部（Ｚ）から前記肩紐の一端と前記バック布の上縁との接合部（Ｘ）までの部分の上縁を、５６はバック布下縁を、５７および５８は縫合線を、５９は前記肩紐の一端と前記バック布の上縁との接合部（Ｘ）を、６０は肩紐を、６１は前記肩紐の一端と前記バック布の上縁との接合部（Ｘ）５９から、前記連結部材と前記バック布の上縁との接合部（Ｙ）６５までの部分を、６２はバック布の編地の編み方向、６３は前中心部を、６４はカップ部とバック布の接合部（Ｚ）、６５は左右のバック布の連結部材とバック布の縁との接合部（Ｙ）、７０および７１は、ボーンを示す。このブラジャーにおいては、前記バック布下縁５６と、前記部分６１とが、前記縁（Ｂ）を形成している。なお、前記バック布のほかの部分の端は、端始末不要な裁断縁（Ａ）を有する。
【００４９】
前記ボーンは、前記バック布５２の、縦方向に取り付けられているのが好ましい（図８および９参照）。前記バック布５２の上下方向の形状を安定させることができるからである。前記ボーンは、左右対称になるよう、２本以上、取り付けられていてもよい。その取り付け位置は、限定がないが、例えば、前記カップ部５１の横付近、前記肩紐の一端と前記バック布の上縁との接合部（Ｘ）５９近辺などが挙げられる。前記経編地の編み方向が、前記バック布５２の横方向６２である場合、前記ボーンを、前記バック布５２の縦方向に取り付けられていると、しわが発生しにくく、かつバック布５２の伸縮性を損なわず、好ましい。前記ボーンの長さは、前記バック布５２の、縦方向の幅より短いのが好ましい。その際、前記ボーンの縁は、前記バック布５２の縁の少なくとも一方と重複しないのが、より好ましい。前記バック布５２の、縁に段差を生じないからである。
【００５０】
前記バック布および前中心部材の素材等については、実施形態１において、記述したとおりである。
【産業上の利用可能性】
【００５１】
本発明の衣料は、セパレートタイプの水着の上着またはレオタードのトップスにも適用できる。
【図面の簡単な説明】
【００５２】
【図１】本発明の衣料で用いられる、好ましい伸縮性経編地の一例の編組織。
【図２】本発明の衣料の一例のブラジャーの正面側から見た斜視図である。
【図３】本発明の衣料のバック布の折り返し部分の一例を示す図であり、（ａ）は、その折り返し部分の一例の断面図、（ｂ）はその斜視図である。
【図４】本発明の衣料の左右のバック布の連結部材付近の一例の拡大図である。
【図５】本発明の衣料の左右のバック布の連結部材付近の別の一例の拡大図である。
【図６】本発明の衣料の左右のバック布の連結部材付近の別の一例の拡大図である。
【図７】本発明の衣料の別の一例のブラジャーの正面側から見た斜視図である。
【図８】本発明の衣料の別の一例のブラジャーの正面側から見た斜視図である。
【図９】本発明の衣料の左右のバック布の連結部材付近の別の一例の拡大図である。
【符号の説明】
【００５３】
１        非弾性糸
２        弾性糸
３        編地の編み方向
４      テープ材
５      縫合線
６      バック布
７      裁断縁
１００  ブラジャー
１１    カップ部
１２    バック布
１３    肩紐
１４    左右のバック布の連結部材
１５    前記カップ部と前記バック布の接合部（Ｚ）から前記接合部（Ｘ）までの部分の上縁
１６    バック布下縁
１７    縫合線
１８    縫合線
１９    前記肩紐の一端と前記バック布の上縁との接合部（Ｘ）
２０    肩紐
２１    前記肩紐の一端と前記バック布の上縁との接合部（Ｘ）から、前記連結部材と前記バック布の上縁との接合部（Ｙ）までの部分
２２    バック布の編地の編み方向
２３    前中心部
２４    カップ部とバック布の接合部（Ｚ）
２５    左右のバック布の連結部材とバック布の縁との接合部（Ｙ）
２６    縫合線
２７    別の伸縮性を有する素材
１０１  ブラジャー
３１    カップ部
３２    バック布
３３    肩紐
３４    左右のバック布の連結部材
３５    前記カップ部と前記バック布の接合部（Ｚ）から前記接合部（Ｘ）までの部分の上縁
３６    バック布下縁
３７    縫合線
３８    縫合線
３９    前記肩紐の一端と前記バック布の上縁との接合部（Ｘ）
４０    肩紐
４１    前記肩紐の一端と前記バック布の上縁との接合部（Ｘ）から、前記連結部材と前記バック布の上縁との接合部（Ｙ）までの部分
４２    バック布の編地の編み方向
４３    前中心部
４４    カップ部とバック布の接合部（Ｚ）
４５    左右のバック布の連結部材とバック布の縁との接合部（Ｙ）
１０２  ブラジャー
５１    カップ部
５２    バック布
５３    肩紐
５４    左右のバック布の連結部材
５５    前記カップ部と前記バック布の接合部（Ｚ）から前記接合部（Ｘ）までの部分の上縁
５６    バック布下縁
５７    縫合線
５８    縫合線
５９    前記肩紐の一端と前記バック布の上縁との接合部（Ｘ）
６０    肩紐
６１    前記肩紐の一端と前記バック布の上縁との接合部（Ｘ）から、前記連結部材と前記バック布の上縁との接合部（Ｙ）までの部分
６２    バック布の編地の編み方向
６３    前中心部
６４    カップ部とバック布の接合部（Ｚ）
６５    左右のバック布の連結部材とバック布の縁との接合部（Ｙ）
７０    ボーン
７１    ボーン
【図１】
2005320644.tif 000003
【図２】
2005320644.tif 000004
【図３】
2005320644.tif 000005
【図４】
2005320644.tif 000006
【図５】
2005320644.tif 000007
【図６】
2005320644.tif 000008
【図７】
2005320644.tif 000009
【図８】
2005320644.tif 000010
【図９】
2005320644.tif 000011